(57)【要約】  【課題】  多くの記録済み番組の中から目的の番組を容易に探し出すことができる番組記録装置を提供する。  【解決手段】  記録番組表作成部１８は、記録番組データベース１６ｂにアクセスして、利用者による指示によって記録した番組の一覧表（記録番組表）を作成する機能を有しており、作成した記録番組表が、記録した番組を利用者の識別情報別、及び番組に係る番組情報別に並べた構成をしている。利用者の識別情報は、例えば、利用者のメールアドレスであり、操作部１２にて受け付けられる。また、番組に係る番組情報は、番組のカテゴリ、記録した日時、記録した曜日、又は番組の放送源の少なくともいずれか１つであり、利用者は、記録番組表を参照し、利用者の識別情報と番組情報とを手掛かりにして多くの記録済み番組の中から容易に目的の番組を探し出すことができる。【選択図】        図１
2006229780.tif 000002
【特許請求の範囲】
【請求項１】
利用者の識別情報を受け付ける手段と、受け付けた識別情報に対して放送される番組の予約記録を受け付ける手段と、受け付けた予約記録に係る番組を受信して記録する処理を行う記録処理手段とを備える番組記録装置において、
記録した番組を前記識別情報別に並べた記録番組表を作成する表作成手段と、
該記録番組表の中から番組の選択を受け付ける受付手段と、
選択を受け付けた番組を再生する処理を行う再生処理手段と
を備えることを特徴とする番組記録装置。
【請求項２】
前記記録処理手段は、番組に係る番組情報を該番組と共に記録しており、
前記表作成手段は、記録した番組を前記番組情報別に並べた前記記録番組表を作成するようにしてあること
を特徴とする請求項１に記載の番組記録装置。
【請求項３】
放送される番組を受信して該番組に係る番組情報と共に記録する処理を行う記録処理手段を備える番組記録装置において、
記録した番組を前記番組情報別に並べた記録番組表を作成する表作成手段と、
該記録番組表の中から番組の選択を受け付ける受付手段と、
選択を受け付けた番組を再生する処理を行う再生処理手段と
を備えることを特徴とする番組記録装置。
【請求項４】
前記番組情報は、番組のカテゴリ、記録した日時、記録した曜日、又は番組の放送源の少なくともいずれか１つであること
を特徴とする請求項２又は請求項３に記載の番組記録装置。
【請求項５】
前記受付手段は、識別情報として利用者に係るメールアドレスを受け付けるようにしてあり、
通信ネットワークに接続するための通信接続手段と、
番組の記録が終了した場合に、記録が終了した旨の内容を示す前記メールアドレス宛ての電子メールを作成するメール作成手段とを備え、
作成された電子メールを前記通信ネットワークを介して送信するようにしてあること
を特徴とする請求項１、請求項２又は請求項４のいずれか１つに記載の番組記録装置。
【請求項６】
記録されている番組を前記電子メールに添付させる手段を備えること
を特徴とする請求項５に記載の番組記録装置。
【請求項７】
記録されている番組のデータ量を圧縮する圧縮手段と、
圧縮された番組を前記電子メールに添付させる手段と
を備えることを特徴とする請求項５に記載の番組記録装置。
【発明の詳細な説明】
【技術分野】
【０００１】
本発明は、放送される番組を受信して記録する処理を行う番組記録装置に関し、より具体的には、多くの記録済み番組の中から、目的の番組を容易に探し出すことができる番組記録装置に関する。
【背景技術】
【０００２】
ハードディスクレコーダのような番組記録装置は、従来のビデオテープ型レコーダと比較すると、データの劣化が極めて低いため、番組を高品質で記録する装置として広く利用されるようになってきている。また、ハードディスクレコーダを用いれば、複数の利用者が記録媒体であるハードディスクを共有し、多くの番組を記録することができる（例えば、特許文献１参照。）。
【特許文献１】特開２００４−３３６３８５号公報
【発明の開示】
【発明が解決しようとする課題】
【０００３】
しかしながら、利用者は、記録済みの番組を再生する場合に、記録した複数の番組のうちから所望の番組を検索する必要があるが、上述したハードディスクレコーダのような番組記録装置は、記録した番組を分別（分類）することなく記録するので、記録した番組数が多くなれば、所望の番組を検索することが困難になるという問題があった。特に、複数の利用者が利用している場合は、自身が記録した番組と他人が記録した番組とが混在されて記録されることになるので、記録されている複数の番組のうちから目的の番組を検索することが極めて困難となる。
【０００４】
また、番組の記録をタイマー予約により行う場合、実際に記録処理が実行されたか否かを確認するには、番組記録装置にアクセスする必要があることから、番組記録装置が設置されている自宅などに帰宅してからでないと確認することができなかった。
【０００５】
本発明は斯かる事情に鑑みてなされたものであり、利用者の識別情報を受け付け、受け付けた識別情報に対して放送される番組の予約記録を受け付け、さらに受け付けた予約記録に係る番組を記録した場合に、記録した番組をその番組を記録するように受け付けた利用者の識別情報別に並べた記録番組表を作成するとともに、記録番組表の中から番組の選択を受け付け、選択を受け付けた番組を再生する構成とすることにより、利用者が、利用者の識別情報を手掛かりにして多くの記録済み番組の中から容易に目的の番組を探し出すことができるとともに、記録番組表から目的の番組を探し出した後に、その番組を選択することで目的の番組を確実に選択して再生を行うことができる番組記録装置の提供を目的とする。
【０００６】
また本発明は、番組に係る番組情報を番組と共に記録し、記録した番組を番組情報別に並べた記録番組表を作成する構成とすることにより、記録番組表が利用者の識別情報と番組情報とがマトリクス状に並べられたものとなるので、利用者が、利用者の識別情報及び番組情報の要素を手掛かりにして多くの記録済み番組の中から容易に目的の番組を探し出すことができる番組記録装置の提供を目的とする。
【０００７】
また本発明は、放送される番組を番組に係る番組情報と共に記録し、番組を記録した場合に、記録した番組をその番組を番組情報別に並べた記録番組表を作成するとともに、記録番組表の中から番組の選択を受け付け、選択を受け付けた番組を再生する構成とすることにより、利用者が、番組情報の要素を手掛かりにして多くの記録済み番組の中から容易に目的の番組を探し出すことができるとともに、記録番組表から目的の番組を探し出した後に、その番組を選択することで目的の番組を確実に選択して再生を行うことができる番組記録装置の提供を目的とする。
【０００８】
また本発明は、番組情報が、番組のカテゴリ、記録した日時、記録した曜日、又は番組の放送源の少なくともいずれか１つであることにより、利用者が、記録した番組のカテゴリ、記録した日時、記録した曜日、又は番組の放送源の少なくともいずれか１つを手掛かりにして多くの記録済み番組の中から容易に目的の番組を探し出すことができる番組記録装置の提供を目的とする。
【０００９】
また本発明は、識別情報として利用者に係るメールアドレスを受け付け、番組の記録が終了した場合に、記録が終了した旨の内容を示す電子メールを作成し、通信ネットワークを介して受け付けたメールアドレス宛てに送信する構成とすることにより、利用者が、番組記録装置にアクセスすることなく、実際に記録処理が実行されたか否かを確認することができる番組記録装置の提供を目的とする。
【００１０】
また本発明は、記録されている番組を電子メールに添付させ、電子メールを受け付けたメールアドレス宛てに送信する構成とすることにより、番組をメールアドレス宛ての機器に配信して、利用者が電子メールに添付された番組をその機器にて再生することができる番組記録装置の提供を目的とする。
【００１１】
また本発明は、記録されている番組のデータ量を圧縮し、圧縮された番組を電子メールに添付させ、電子メールを受け付けたメールアドレス宛てに送信する構成とすることにより、番組をメールアドレス宛ての機器に配信することができるので、利用者が、電子メールに添付された番組をその機器にて再生することができるとともに、番組のデータ量が圧縮されているので、データ通信にかかる時間及びコストを削減することができる番組記録装置の提供を目的とする。
【課題を解決するための手段】
【００１２】
第１発明に係る番組記録装置は、利用者の識別情報を受け付ける手段と、受け付けた識別情報に対して放送される番組の予約記録を受け付ける手段と、受け付けた予約記録に係る番組を受信して記録する処理を行う記録処理手段とを備える番組記録装置において、記録した番組を前記識別情報別に並べた記録番組表を作成する表作成手段と、該記録番組表の中から番組の選択を受け付ける受付手段と、選択を受け付けた番組を再生する処理を行う再生処理手段とを備えることを特徴とする。
【００１３】
第１発明にあっては、利用者の識別情報を受け付け、受け付けた識別情報に対して放送される番組の予約記録を受け付ける。そして、受け付けた予約記録に係る番組を記録した場合に、記録した番組をその番組を記録するように受け付けた利用者の識別情報別に並べた記録番組表を作成する。これにより、利用者は、記録番組表を参照し、利用者の識別情報を手掛かりにして多くの記録済み番組の中から容易に目的の番組を探し出すことができる。さらに、記録番組表の中から番組の選択を受け付け、選択を受け付けた番組を再生する。これにより、利用者は、記録番組表から目的の番組を探し出した後に、その番組を選択することで目的の番組を確実に選択して再生を行うことができる。
【００１４】
第２発明に係る番組記録装置は、前記記録処理手段は、番組に係る番組情報を該番組と共に記録しており、前記表作成手段は、記録した番組を前記番組情報別に並べた前記記録番組表を作成するようにしてあることを特徴とする。
【００１５】
第２発明にあっては、番組に係る番組情報を番組と共に記録し、記録した番組を番組情報別に並べた記録番組表を作成する。つまり、記録番組表は、利用者の識別情報と番組情報とがマトリクス状に並べられたものとなるので、利用者は、利用者の識別情報及び番組情報の要素を手掛かりにして多くの記録済み番組の中から容易に目的の番組を探し出すことができる。
【００１６】
第３発明に係る番組記録装置は、放送される番組を受信して該番組に係る番組情報と共に記録する処理を行う記録処理手段を備える番組記録装置において、記録した番組を前記番組情報別に並べた記録番組表を作成する表作成手段と、該記録番組表の中から番組の選択を受け付ける受付手段と、選択を受け付けた番組を再生する処理を行う再生処理手段とを備えることを特徴とする。
【００１７】
第３発明にあっては、放送される番組を番組に係る番組情報と共に記録する。そして、番組を記録した場合に、記録した番組をその番組を番組情報別に並べた記録番組表を作成する。これにより、利用者は、記録番組表を参照し、番組情報の要素を手掛かりにして多くの記録済み番組の中から容易に目的の番組を探し出すことができる。さらに、記録番組表の中から番組の選択を受け付け、選択を受け付けた番組を再生する。これにより、利用者は、記録番組表から目的の番組を探し出した後に、その番組を選択することで目的の番組を確実に選択して再生を行うことができる。
【００１８】
第４発明に係る番組記録装置は、前記番組情報は、番組のカテゴリ、記録した日時、記録した曜日、又は番組の放送源の少なくともいずれか１つであることを特徴とする。
【００１９】
第４発明にあっては、番組情報が、番組のカテゴリ、記録した日時、記録した曜日、又は番組の放送源の少なくともいずれか１つであることにより、番組のカテゴリ、記録した日時、記録した曜日、又は番組の放送源の少なくともいずれか１つを要素として並べられた記録番組表が作成される。これにより、利用者は、記録した番組のカテゴリ、記録した日時、記録した曜日、又は番組の放送源の少なくともいずれか１つを手掛かりにして多くの記録済み番組の中から容易に目的の番組を探し出すことができる。
【００２０】
第５発明に係る番組記録装置は、前記受付手段は、識別情報として利用者に係るメールアドレスを受け付けるようにしてあり、通信ネットワークに接続するための通信接続手段と、番組の記録が終了した場合に、記録が終了した旨の内容を示す前記メールアドレス宛ての電子メールを作成するメール作成手段とを備え、作成された電子メールを前記通信ネットワークを介して送信するようにしてあることを特徴とする。
【００２１】
第５発明にあっては、識別情報として利用者に係るメールアドレスを受け付け、番組の記録が終了した場合に、記録が終了した旨の内容を示す電子メールを作成し、通信ネットワークを介して受け付けたメールアドレス宛てに送信する。これにより、利用者は、番組記録装置にアクセスすることなく、例えば番組記録装置が設置されている自宅などに帰宅するまでもなく、実際に記録処理が実行されたか否かを確認することができる。
【００２２】
第６発明に係る番組記録装置は、記録されている番組を前記電子メールに添付させる手段を備えることを特徴とする。
【００２３】
第６発明にあっては、記録されている番組を電子メールに添付させ、電子メールを受け付けたメールアドレス宛てに送信することにより、番組をメールアドレス宛ての機器（例えば、利用者所有の機器）に配信することができる。したがって、利用者は、電子メールに添付された番組を、例えば利用者所有の機器にて再生することができる。
【００２４】
第７発明に係る番組記録装置は、記録されている番組のデータ量を圧縮する圧縮手段と、圧縮された番組を前記電子メールに添付させる手段とを備えることを特徴とする。
【００２５】
第７発明にあっては、記録されている番組のデータ量を圧縮し、圧縮された番組を電子メールに添付させ、電子メールを受け付けたメールアドレス宛てに送信することにより、番組をメールアドレス宛ての機器（例えば、利用者所有の機器）に配信することができる。したがって、利用者は、電子メールに添付された番組を、例えば利用者所有の機器にて再生することができる。また、番組のデータ量が圧縮されているので、データ通信にかかる時間及びコストを削減することができる。このように、番組の詳細な内容を再生するのではなく、番組の概要を把握する場合には、番組のデータ量を圧縮して電子メールに添付することが好ましい。
【発明の効果】
【００２６】
本発明によれば、利用者の識別情報を受け付け、受け付けた識別情報に対して放送される番組の予約記録を受け付け、さらに受け付けた予約記録に係る番組を記録した場合に、記録した番組をその番組を記録するように受け付けた利用者の識別情報別に並べた記録番組表を作成するとともに、記録番組表の中から番組の選択を受け付け、選択を受け付けた番組を再生する構成としたので、利用者が、利用者の識別情報を手掛かりにして多くの記録済み番組の中から容易に目的の番組を探し出すことができるとともに、記録番組表から目的の番組を探し出した後に、その番組を選択することで目的の番組を確実に選択して再生を行うことができる。
【００２７】
本発明によれば、番組に係る番組情報を番組と共に記録し、記録した番組を番組情報別に並べた記録番組表を作成する構成としたので、記録番組表が利用者の識別情報と番組情報とがマトリクス状に並べられたものとなるので、利用者が、利用者の識別情報及び番組情報の要素を手掛かりにして多くの記録済み番組の中から容易に目的の番組を探し出すことができる。
【００２８】
本発明によれば、放送される番組を番組に係る番組情報と共に記録し、番組を記録した場合に、記録した番組をその番組を番組情報別に並べた記録番組表を作成するとともに、記録番組表の中から番組の選択を受け付け、選択を受け付けた番組を再生する構成としたので、利用者が、番組情報の要素を手掛かりにして多くの記録済み番組の中から容易に目的の番組を探し出すことができるとともに、記録番組表から目的の番組を探し出した後に、その番組を選択することで目的の番組を確実に選択して再生を行うことができる。
【００２９】
本発明によれば、番組情報が、番組のカテゴリ、記録した日時、記録した曜日、又は番組の放送源の少なくともいずれか１つであることとしたので、利用者が、記録した番組のカテゴリ、記録した日時、記録した曜日、又は番組の放送源の少なくともいずれか１つを手掛かりにして多くの記録済み番組の中から容易に目的の番組を探し出すことができる。
【００３０】
本発明によれば、識別情報として利用者に係るメールアドレスを受け付け、番組の記録が終了した場合に、記録が終了した旨の内容を示す電子メールを作成し、通信ネットワークを介して受け付けたメールアドレス宛てに送信する構成としたので、利用者が、番組記録装置にアクセスすることなく、実際に記録処理が実行されたか否かを確認することができる。
【００３１】
本発明によれば、記録されている番組を電子メールに添付させ、電子メールを受け付けたメールアドレス宛てに送信する構成としたので、番組をメールアドレス宛ての機器に配信して、利用者が電子メールに添付された番組をその機器にて再生することができる。
【００３２】
本発明によれば、記録されている番組のデータ量を圧縮し、圧縮された番組を電子メールに添付させ、電子メールを受け付けたメールアドレス宛てに送信する構成としたので、番組をメールアドレス宛ての機器に配信することができるので、利用者が、電子メールに添付された番組をその機器にて再生することができるとともに、番組のデータ量が圧縮されているので、データ通信にかかる時間及びコストを削減することができる等、優れた効果を奏する。
【発明を実施するための最良の形態】
【００３３】
以下、本発明をその実施の形態を示す図面に基づいて詳述する。
【００３４】
図１は本発明に係る番組記録装置としてのハードディスクレコーダの構成を示すブロック図である。
ハードディスクレコーダ１は、ＣＰＵで構成された制御部１０を備えている。制御部１０はチューナ部１１，操作部１２，表示部１３，信号処理部１４，記録再生部１５，記録部１６，予約管理部１７，記録番組表作成部１８，ＯＳＤ信号生成部１９，出力部２０，圧縮部２１，電子メール作成部２２，通信部２３などと接続され、これら各部を制御して、内蔵するＲＯＭに格納された制御プログラムに従って種々の機能を実行する。例えば、ハードディスクレコーダ１は、外部から入力された番組の映像信号を所定形式（例えばＭＰＥＧ形式）の映像データにエンコードする機能、エンコードした映像データを記録する機能、記録している映像データを映像信号にデコードする機能などを有している。
【００３５】
チューナ部１１は、例えば放送中継基地の方向に向けて配置されたアンテナ５０に接続されており、放送中継基地から送信された映像信号のうちの特定周波数帯域の映像信号を選択して復調する機能を有する。
【００３６】
操作部１２は、ハードディスクレコーダ１を操作するための各種のファンクションキー、例えば、記録の開始を指示する記録開始ボタン、再生の開始を指示する再生開始ボタン、記録・再生の終了を指示する終了ボタン、予約設定キーなどを備えている。もちろん、操作部１２には、番組の予約の際に、番組のチャネル、開始日時及び終了日時の入力などを受け付けるためのテンキー、十字キーなどが備えられている。
【００３７】
表示部１３は、液晶モニタ又はＬＥＤモニタなどの表示デバイスで構成されており、ハードディスクレコーダ１の動作状態の表示、利用者へ操作入力を促す画面の表示などを行う。なお、オン・スクリーン・ディスプレイ（ＯＳＤ）を表示機器６０に表示してハードディスクレコーダ１を操作するようにしてもよいし、表示部１３をタッチパネル方式とすることにより、操作部１２の各種のファンクションキーのうちの一部又は全部を代用することも可能である。以下では、操作性がよく、詳細な設定及び操作が可能なＯＳＤであるとして説明する。
【００３８】
信号処理部１４は、ＥＰＧ信号復号部１４ａ，コーデック部１４ｂなどを有している。また、放送中継基地から送信された映像信号には最新の番組情報（以下、ＥＰＧ信号）が重畳されており、ＥＰＧ信号復号部１４ａはＥＰＧ信号を復号してＥＰＧを取得する。コーデック部１４ｂは、映像信号を所定形式の映像データに符号化する機能と、所定形式の映像データを映像信号に復号化する機能を有する。エンコード形式としては、例えばＭＰＥＧ形式、ＤＶ圧縮形式、モーションＪＰＥＧ形式などであり、その映像圧縮規格については限定されるものではないが、以下、現在広く利用されているＭＰＥＧ形式であるとして説明する。
【００３９】
記録再生部１５は、信号処理部１４にて符号化された映像データを記録部１６に記録する記録処理と、記録部１６に記録された映像データを読み出し、信号処理部１４と協業して映像データを再生する再生処理とを行う機能を有する。また、記録再生部１５は、番組を記録する際に、番組に係る番組情報を該番組と共に記録するようにしてある。
【００４０】
記録部１６は、具体的にはハードディスクであり、記録再生部１５と接続されて記録再生部１５にて符号化された映像データ（番組）１６ａを記録するものである。記録部１６は、ランダムアクセスが可能であるため、記録再生部１５による記録処理と再生処理とをそれぞれ独立して行うことができる。つまり、記録処理を行いながら再生処理を行うことができる。また、記録部１６には番組情報と記録を指示した利用者の識別情報とを含む記録番組データベース１６ｂが記録されている。より具体的には、記録番組データベース１６ｂは、図２に示すように、番組のカテゴリ、番組のチャネル、番組名、記録開始日時、記録終了日時、曜日のような番組に係る番組情報と、記録を指示した利用者の識別情報（ここではメールアドレス）と、すでに記録済みであるか否かを判別するためのフラグ情報とからなる。この記録番組データベース１６ｂは、操作部１２によって適宜更新可能である。なお、フラグ情報が”１”である番組はすでに記録済みであることを示し、フラグ情報が”０”である番組は今後記録予定であることを示している。
【００４１】
予約管理部１７は、記録番組データベース１６ｂにアクセスして、フラグ情報が”０”である番組を抽出するとともに、現在の時間と記録開始時間とが一致する記録予定の番組が存在するか否かを判定する。一致する番組が存在する場合には、チューナ部１１を制御してその番組のチャネルを選択するとともに、記録再生部１５にその番組を記録するように指示を行うことによって、記録部１６にその番組の記録が開始される。そして、現在の時間が記録終了時間と一致するまで記録処理を継続し、記録終了時間になった場合に記録処理を終了する。これにより、記録部１６には利用者によって予約された番組を記録部１６に記録することができる。これら、記録番組データベース１６ｂに係る予約内容は、利用者が操作部１２を操作することによって受け付けたものであり、操作部１２にてメールアドレスなどの情報を受け付ける形態としておく。
【００４２】
また、予約管理部１７は、予約番組の記録が終了した場合に、記録番組データベース１６ｂのフラグ情報を”０”から”１”に変更して記録番組データベース１６ｂを更新する。なお、ＥＰＧによって予約された番組の記録開始時間、記録終了時間が変更されたことを認識した場合には、記録開始時間、記録終了時間を変更して記録番組データベース１６ｂを更新することが好ましい。一般に、スポーツ中継の番組では時間を延長して放送する場合があり、このような場合には、ＥＰＧはリアルタイムで放送される番組の番組情報（チャネル、番組名、記録開始時間、記録終了時間）を更新して配信されることから、ＥＰＧの情報を参照して記録番組データベース１６ｂを更新する。これにより、利用者が予約記録を指示した番組の放送時間が変更された場合であっても、番組を確実に記録することができる。
【００４３】
記録番組表作成部１８は、記録番組データベース１６ｂにアクセスして、利用者による指示によって記録した番組の一覧表（記録番組表）を作成する機能を有しており、詳細は後述するが、作成した記録番組表が、記録した番組を利用者の識別情報別、及び番組に係る番組情報別に並べた構成をしていることに特徴がある。
【００４４】
ＯＳＤ信号生成部１９は、記録番組表作成部１８によって作成された記録番組表を表示機器６０に表示するための映像信号を生成する。出力部２０には、液晶ディスプレイ又はＣＲＴディスプレイなどの表示機器６０が接続されており、出力部２０は、チューナ部１１によって選択された番組、又は記録再生部１５によって再生が選択された記録済みの番組に係る映像信号を表示機器６０へ出力し、映像信号に係る映像を表示機器６０に表示する。また、ＯＳＤ信号生成部１９にて生成された記録番組表の映像信号と、記録再生部１５によって再生された映像信号とを合成するための図示しない表示合成部が設けられており、合成された映像信号を表示機器６０へ出力することによって、表示機器６０に合成された映像を表示する。
【００４５】
圧縮部２１は、記録されている番組の１フレームあたりの解像度を変更したり、フレームレートを変更したりすることにより、そのデータ量を圧縮する機能を有している。圧縮部２１を設ける主旨は、記録した番組を電子メールに添付して送信する場合に、データ通信にかかる時間及びコストを削減することにあり、番組の詳細な内容を把握するのではなく、番組の概要を把握する場合には、番組のデータ量を圧縮して電子メールに添付することが好ましい。
【００４６】
電子メール作成部２２は、番組の記録が終了した場合に、記録が終了した旨の内容を示す電子メールを作成する。また、圧縮部２１にてデータ量が圧縮された番組を電子メールに添付する機能を有し、電子メールの宛先は予約の際に操作部１２にて受け付けたメールアドレスである。通信部２３は、インターネットのような通信ネットワークＩＮに接続するための通信接続手段であり、電子メール作成部２２が作成した電子メールをインターネットを介してメールサーバ６１に送信する。なお、電子メールの宛先が予約の際に操作部１２にて受け付けたメールアドレスであるとしたが、操作部１２にて受け付けるメールアドレスの数は１つであることに限定されるものではなく、複数のメールアドレスを受け付けるようにしてもよい。このようにして、利用者は、ＰＣ６２又は携帯端末（例えば携帯電話）６３からメールサーバ６１にアクセスして、記録が終了した旨の内容を示す電子メールを受信することができる。もちろん、メールサーバ６１がハードディスクレコーダ１から電子メールを受信した場合に、メールサーバ６１からＰＣ６２又は携帯端末６３に転送するようにしてもよく、携帯端末６３が携帯電話の場合には、このような形態である場合が一般的である。
【００４７】
もちろん、圧縮部２１にてデータ量が圧縮された番組を電子メールに添付するのではなく、記録部１６に記録されている番組そのものを電子メールに添付するようにしてもよい。つまり、番組の概要を把握する場合には番組のデータ量を圧縮して電子メールに添付し、番組の詳細な内容を把握する場合には記録部１６に記録されている番組そのものを電子メールに添付するようにする。もちろん、圧縮部２１によってデータ量の圧縮率を調整する場合には、送信しようとする番組のデータ量に応じて、その圧縮率を適宜調整できるようにしてもよいことは勿論である。
【００４８】
次に、ＯＳＤ機能を利用した場合のハードディスクレコーダ１の動作について説明する。
図３は本発明に係るハードディスクレコーダが行う予約設定に関する処理手順を示すフローチャートである。なお、処理手順は一例でありこれに限るものではない。また、このような処理手順は、制御部１０に内蔵したＲＯＭへ予め制御プログラムを組み込んでおくことにより行うことができる。
【００４９】
まず、利用者によって予約設定キーが押下されると、制御部１０は、ＥＰＧ予約又はマニュアル予約の選択を受け付ける予約記録設定メニュー画面を表示機器６０にＯＳＤ表示し（ステップＳ１）、ＥＰＧ予約又はマニュアル予約の選択を受け付ける（ステップＳ２）。予約記録設定画面は、図４に示すように、ＥＰＧ予約７１とマニュアル予約７２とがあり、利用者が操作部１２の十字キーを操作することによって、ＥＰＧ予約７１又はマニュアル予約７２のいずれかを選択するようになっている。
【００５０】
ＥＰＧ予約７１が選択されたか否かを判断し（ステップＳ３）、ＥＰＧ予約７１が選択されたと判断された場合（Ｓ３：ＹＥＳ）には、図５に示すように、ＥＰＧに基づいて放送予定の番組７３を表示機器６０にＯＳＤ表示する（ステップＳ４）。そして、利用者が十字キーを操作して選択枠７４を適宜移動させることにより、記録したい番組の選択と、利用者自身を識別するためのメールアドレス７５の入力とを受け付ける（ステップＳ５）。ＥＰＧには、番組のカテゴリ、番組のチャネル、番組名、記録開始時間、記録終了時間、曜日のような番組に係る番組情報が含まれており、このようなＥＰＧ予約の受け付けが行われた場合、記録番組データベース１６ｂに新しいレコードが追加され、そのレコードに、ＥＰＧに基づいて選択された番組に係る番組情報とメールアドレスとが記載される。このようにして、予約記録の設定が行われるごとに記録番組データベース１６ｂを更新する（ステップＳ６）。
【００５１】
一方、Ｓ２においてマニュアル予約７２が選択された場合（Ｓ３：ＮＯ）には、図６に示すように、従来と同様に、記録する番組のチャネル７６、記録開始日時７７及び記録終了日時７８の入力を受け付けるとともに、その番組のカテゴリ７９と利用者自身を識別するためのメールアドレス８０の入力とを受け付ける（ステップＳ７）。このようなマニュアル予約の受け付けが行われた場合も処理をＳ６へ移行し、記録番組データベース１６ｂに新しいレコードが追加され、そのレコードに、入力された内容に基づく番組に係る番組情報とメールアドレスとが記載される。このようにして、予約記録の設定が行われるごとに記録番組データベース１６ｂが更新される。
【００５２】
なお、番組の予約が、すでに記録番組データベース１６ｂに登録されている他の予約と時間帯が重なる場合、すでに登録されている他の予約を優先するように、予約ができないことをＯＳＤ表示して利用者に通知してもよいし、これから登録しようとする番組の予約を優先するように、すでに登録されている番組の予約をキャンセルし、記録番組データベース１６ｂから削除するようにしてもよい。
【００５３】
図７は本発明に係るハードディスクレコーダが行う予約記録に関する処理手順を示すフローチャートである。なお、処理手順は一例でありこれに限るものではない。
まず、予約管理部１７は、所定周期毎に記録番組データベース１６ｂにアクセスして、フラグ情報が”０”である番組を抽出し（ステップＳ１１）、現在の時間と記録開始時間とが一致する記録予定の番組が存在するか否かを判定する（ステップＳ１２）。なお、Ｓ１２は、厳密に現在の時間と記録開始時間とが一致することが必須ではなく、開始日時≦現在日時＜終了日時である記録予定の番組が存在するか否かを判定するようにしてもよい。
【００５４】
Ｓ１２において現在の時間と記録開始時間とが一致する記録予定の番組が存在しないと判定された場合（Ｓ１２：ＮＯ）、予約記録を行う番組が存在しないことになるので処理をＳ１１に戻す。一方、Ｓ１２において現在の時間と記録開始時間とが一致する記録予定の番組が存在すると判定された場合（Ｓ１２：ＹＥＳ）、予約管理部１７は、その番組に対する記録番組データベース１６ｂの各要素に基づいて、チューナ部１１を制御してその番組のチャネルを選択するとともに、記録再生部１５にその番組を記録するように指示して記録処理を行う（ステップＳ１３）。
【００５５】
そして、記録終了時間になったか否かを判定し（ステップＳ１４）、記録終了時間になった場合（Ｓ１４：ＹＥＳ）に記録処理を終了する（ステップＳ１５）。記録終了時間となるまでは（Ｓ１４：ＮＯ）、記録処理を継続する。これにより、記録部１６には利用者によって予約された番組を記録部１６に記録することができる。また、予約管理部１７は、予約番組の記録が終了した場合、記録番組データベース１６ｂのフラグ情報を”０”から”１”に変更して記録番組データベース１６ｂを更新する（ステップＳ１６）。
【００５６】
次に、電子メール作成部２２は、記録が終了した旨の内容を示す電子メールを作成する（ステップＳ１７）。また、記録部１６に記録された番組のデータ量を圧縮部２１にて圧縮して電子メールに添付する（ステップＳ１８）。そして、電子メール作成部２２が作成した電子メールをインターネットを介して、メールアドレス宛てに送信する（ステップＳ１９）。
【００５７】
このようにして、利用者は電子メールを受信することによって、ハードディスクレコーダ１にアクセスすることなく、実際に記録処理が実行されたか否かを確認することができる。また、記録されている番組を電子メールに添付させることにより、番組をメールアドレス宛ての機器に配信して、利用者が電子メールに添付された番組をその機器にて再生することができる。特に、記録されている番組のデータ量を圧縮し、圧縮された番組を電子メールに添付させ、電子メールを受け付けたメールアドレス宛てに送信するようにした場合は、番組のデータ量が圧縮されているので、データ通信にかかる時間及びコストを削減することができる。
【００５８】
図８は本発明に係るハードディスクレコーダが行う再生処理に関する処理手順を示すフローチャートである。なお、処理手順は一例でありこれに限るものではない。
まず、記録番組表作成部１８は、記録番組データベース１６ｂにアクセスして、記録した番組の一覧表（記録番組表）を作成する（ステップＳ２１）。作成した記録番組表は、図９に示すように、利用者の識別情報（メールアドレス）９１と番組のカテゴリ９２とが要素となるようにマトリクス状に並べた構成をしている。このような記録番組表は、記録番組データベース１６ｂにアクセスして、フラグ情報が”１”である番組を、番組のカテゴリ及びメールアドレスをキーワードにして並び替えることによって作成される。例えば、まず、フラグ情報が”１”である番組をメールアドレスごとに抽出して、同一メールアドレスの番組に第１番号（ＩＤ）を付与する。さらに、第１番号が同一の番組を番組のカテゴリごとに抽出して、同一カテゴリの番組に第２番号（ＩＤ）を付与する。このようにして、第１番号を昇順して縦方向に並び替え、第２番号を昇順して横方向に並び替えることで、図９のような記録番組表が作成される。
【００５９】
作成された記録番組表は、ＯＳＤ信号生成部１９によって表示機器６０に表示するための映像信号に変換され、表示機器６０にＯＳＤ表示される。そして、利用者が十字キーを操作して、ＯＳＤ表示された記録番組表の選択枠９０を適宜移動させることにより、再生したい番組の選択を受け付け（ステップＳ２２）、受け付けた番組の再生処理を行う（ステップＳ２３）。
【００６０】
このようにして、利用者は、記録番組表を参照し、利用者の識別情報（ここではメールアドレス）と番組情報（ここでは番組のカテゴリ）とを手掛かりにして多くの記録済み番組の中から容易に目的の番組を探し出すことができる。とくに、利用者の識別情報と番組情報とがマトリクス状に並べられたものとなるので詮索が極めて簡単になる。とくに、複数の利用者が共用している場合は、自身が記録した番組と他人が記録した番組とが混在されて記録されることになるが、本発明で作成される記録番組表では、自身が記録した番組を、他人が記録した番組から分別することができるので、目的の番組を検索することが極めて容易になる。さらに、利用者は、記録番組表から目的の番組を探し出した後に、その番組を選択することで目的の番組を確実に選択して再生を行うことができる。
【００６１】
なお、本実施形態では、利用者の識別情報がメールアドレスである場合について説明したが、ハードディスクレコーダ１を利用する複数の利用者の各人を識別できる識別情報であれば、これに限定されるものではなく、例えば、利用者の氏名、ニックネームのような情報であってもよい。
【００６２】
また、番組情報として、番組のカテゴリに基づいて分別する場合について説明したが、これに限定されるものではなく、例えば、番組のカテゴリ、記録した日時、記録した曜日の少なくともいずれか１つ、又は番組の放送源（ＢＳ放送、地上放送及びＣＳ放送などのソースなど）であってもよい。もちろん、利用者が自由に設定できる自由要素を用意しておき、この自由要素を活用して、番組を分別するようにしてもよい。
【００６３】
さらに、操作部１２は、ハードディスクレコーダ１本体に設けられている必要はなく、遠隔操作部としてのリモコンをハードディスクレコーダ１に用意しておくようにしてもよい。また、携帯端末（例えば携帯電話）に、操作部１２としての機能（予約機能）を備えるようにしておき、携帯端末から例えば赤外線通信で予約の設定を行うようにしてもよいことは勿論である。
【図面の簡単な説明】
【００６４】
【図１】本発明に係る番組記録装置としてのハードディスクレコーダの構成を示すブロック図である。
【図２】記録番組データベースの概要を示すテーブル図である。
【図３】本発明に係るハードディスクレコーダが行う予約設定に関する処理手順を示すフローチャートである。
【図４】予約記録設定画面の表示状態を示す模式図である。
【図５】ＥＰＧ予約設定画面の表示状態を示す模式図である。
【図６】マニュアル予約設定画面の表示状態を示す模式図である。
【図７】本発明に係るハードディスクレコーダが行う予約記録に関する処理手順を示すフローチャートである。
【図８】本発明に係るハードディスクレコーダが行う再生処理に関する処理手順を示すフローチャートである。
【図９】記録番組表の表示状態を示す模式図である。
【符号の説明】
【００６５】
１  ハードディスクレコーダ
１１  チューナ部
１２  操作部
１３  表示部
１４  信号処理部
１４ａ  ＥＰＧ信号復号部
１４ｂ  コーデック部
１５  記録再生部
１６  記録部
１６ａ  映像データ（番組）
１６ｂ  記録番組データベース
１７  予約管理部
１８  記録番組表作成部
１９  ＯＳＤ信号生成部
２０  出力部
２１  圧縮部
２２  電子メール作成部
２３  通信部
５０  アンテナ
６０  表示機器
【図１】
2006229780.tif 000003
【図２】
2006229780.tif 000004
【図３】
2006229780.tif 000005
【図４】
2006229780.tif 000006
【図５】
2006229780.tif 000007
【図６】
2006229780.tif 000008
【図７】
2006229780.tif 000009
【図８】
2006229780.tif 000010
【図９】
2006229780.tif 000011